【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  入力データ要素の時間及び間隔(TS)スタンピング用のグローバル同期ユニット(GSU)において、
前記GSUは、
前記GSU内で生じる各データ・サンプリング瞬間で前記グローバル基準システムに関する前記GSUの時間及び間隔座標の時間及び間隔(TS)スタンプ・データ要素の典型を自動的に生成するために、グローバル基準システム内に象徴的に埋め込まれたGPSシステムに関連した信号元からGPS信号を受信する及び前記受信GPS信号を処理するGPS受信器および関連するアンテナと、
前記GPS受信器に操作しやすく接続された中央処理装置と、
個々の前記データ・サンプリング瞬間で、データ入力装置および前記中央処理装置に操作可能に接続され、前記データ入力装置から入力データ要素を受信するデータ入力ポートとを有し、
前記中央処理装置は、
(i)個々の前記データ・サンプリング瞬間にて前記データ入力ポートで受信した入力データ要素を前記サンプリング瞬間で生成されたTSスタンプデータ要素で関連させて、TSスタンプされた入力データ要素を生成し、
(ii)メモリに個々の前記TSスタンプされた入力データ要素を格納するようにしたGSU。
【請求項２】  前記GPS受信器はGPS衛星から前記GPS信号を受信し、前記GPS衛星が原子時計に由来した報時信号を受信する請求項１記載のGSU。
【請求項３】  前記データ入力装置は、マウス、キーボード、マイクロホン、ビデオカメラ、スキャナ、バーコード・リーダー、圧力タブレット、音声認識システム、生物測定センサー、生物生理学的センサーおよび他のアナログから成るグループから選択された装置あるいはディジタルデータ入力装置である請求項１記載のGSU。
【請求項４】  前記データ入力装置は、レース・フィニッシュ・ライン用水位センサー、盗難警報器、警察レーダー装置、スチル・イメージ・カメラ、ビデオカメラ、マイクロホン、化学センサー、バーコード・リーダー、ドキュメントスキャナ、指紋読取装置、アイリススキャナ、乗り物カウンターおよび光センサーから成るグループから選択された装置である請求項１記載のGSU。
【請求項５】  個々の前記入力データ要素は、前記GSUの外部で生じる事象の典型である請求項１記載のGSU。
【請求項６】  復号化された入力データ要素へ暗号化されたデータ要素を復号化し、グローバル同期ユニットGSU内の配当通過時間(TS)同期座標の生成に応じて所定の機能をその上に実行するグローバル同期ユニット(GSU)において、
前記GSUの内に生じる各データ・サンプリング瞬間で前記グローバル基準システム内の前記GSUの配当通過時間(TS)座標の配当通過時間(TS)スタンプ・データ要素標本を自動的に生成するために、グローバル基準システム内に象徴的に埋め込まれたGPSシステムに関連した信号元からGPS信号を受信し、前記受信GPS信号を処理するGPS受信器及び関連するアンテナと、
前データ入力装置から暗号化された入力データ要素および関数同期データを受信し不揮発性メモリに前記暗号化された入力データ要素および前記関数同期データを格納するために、前記GPS受信器に操作可能に連結された中央処理装置とを有し、
(i)復号化された入力データ要素へ前記暗号化されたデータ要素を復号化し、(ii)前記復号化された入力データ要素上で、所定の機能を実行する前記中央処理装置で、前記関数同期データは、TS同期座標を特定し、
前記TS同期座標のTSスタンプデータ要素標本の生成する前記GPS受信器上で、前記中央処理装置は、自動的に、(i)復号化された入力データ要素へ前記暗号化されたデータ要素を復号化する、そして、(ii)前記復号化された入力データ要素上で前記所定の機能を実行するGSU。
【請求項７】  前記暗号化された入力データ要素は、前記データ出力デバイスによって表示される暗号化されたイメージデータセットである、
また、i)復号化されたイメージデータセットへ前記暗号化された入力イメージを復号化し、そして、(ii)ディスプレイのための前記データ出力デバイスへの前記データ取出口を介して、前記復号化されたイメージデータセットを送信する前記中央処理装置で、前記関数同期データは、TS同期座標を特定し、
前記TS同期座標のTSスタンプデータ要素標本を生成する前記GPS受信器上で、前記中央処理装置は、自動的に、(i) に前記復号化されたイメージデータセットへ前記暗号化されたイメージデータセットを復号化し、(ii)ディスプレイのための前記データ出力デバイスに前記データ取出口を通して前記復号化されたイメージデータセットを送信する請求項１記載のGSU。
【請求項８】  ホストを計算する装置、前記GSUを備えた使用用のグローバル同期ユニット(GSU)において、
前記GSUの内に生じる各データ・サンプリング瞬間で前記グローバル基準システムに関して前記GSUの配当通過時間座標の配当通過時間(TS)スタンプ・データ要素標本を自動的に生成するために、グローバル基準システム内に象徴的に埋め込まれたGPSシステムに関連した信号元からGPS信号を受信し、前記受信GPS信号を処理するGPS受信器および関連するアンテナと、
個々の前記データ・サンプリング瞬間で、前記ホスト計算装置から入力データ要素を受信するためにホストコンピューター・インターフェースを有する前記GPS受信器に操作可能に連結された中央処理装置とを有し、
前記中央処理装置は、
(i)TSスタンプされた入力データ要素を生成するために前記データ・サンプリング瞬間で生成されたTSスタンプデータ要素で、個々の前記サンプリング瞬間において、前記ホストコンピューター・インターフェースで受信された入力データ要素を連結する、そして、(ii)メモリに個々の前記TSスタンプされた入力データ要素を格納するGSU。
【請求項９】  ホスト計算装置と使用されるグローバル同期ユニット(GSU)において、
前記GSUは、
前記GSU内に生じる各データ・サンプリング瞬間で前記グローバル基準システム内の前記GSUの配当通過時間座標の配当通過時間(TS)スタンプ・データ要素標本を自動的に生成するために、グローバル基準システム内に象徴的に埋め込まれたGPSシステムに関連した信号元からGPS信号を受信し、前記受信GPS信号を処理するGPS受信器および関連するアンテナと、
前記GPS受信器に操作可能に連結され、前記ホストコンピューター・インターフェースを介して、暗号化された入力データ要素を受信し、そして、前記暗号化された入力データ要素及び前記関数同期データを不揮発性メモリ内に格納するホストコンピューター・インターフェースを有する中央処理装置とを有し、
(i)復号化された入力データ要素へ前記暗号化されたデータ要素を復号化する、そして、(ii)前記復号化された入力データ要素上で所定の機能を実行する前記中央処理装置で、前記関数同期データは、TS同期座標を特定し、
前記TS同期座標のTSスタンプデータ要素標本を生成する前記GPS受信器で、前記中央処理装置は、自動的に、(i) 復号化された入力データ要素へ前記暗号化されたデータ要素を復号化する、そして、(ii)前記復号化された入力データ要素上で前記所定の機能を実行するGSU。
【請求項１０】  前記不揮発性メモリは、前記GSU内に配置される請求項９のGSU。
【請求項１１】  で前記GPS受信器はGPS衛星から前記GPS信号を受信する、また、前記GPS衛星が、原子時計に由来した報時信号を受信する請求項９のGSU。
【請求項１２】  (i)復号化されたイメージデータセットへ前記暗号化された入力イメージを復号化する、そして、(ii)ディスプレイのための前記ホスト計算装置に前記ホストコンピューター・インターフェースを通して前記復号化されたイメージデータセットを送信する前記中央処理装置で、前記暗号化された入力データ要素は前記クライアント計算装置および前記関数同期データによって表示される暗号化されたイメージデータセットであるTS同期座標を特定し、
前記TS同期座標のTSスタンプデータ要素標本を生成する前記GPS受信器で、前記中央処理装置は、自動的に、(i)前記復号化されたイメージデータセットへ前記暗号化されたイメージデータセットを復号化する、そして、(ii)ディスプレイのための前記ホスト計算装置に前記ホストコンピューター・インターフェースを通して前記復号化されたイメージデータセットを送信する請求項９のGSU。
【請求項１３】  GPS可能情報サーバーは、(1)前記GPS可能情報サーバー内に生じる各データ・サンプリング瞬間で、前記グローバル基準システムに関しての前記GPS可能情報サーバーの配当通過時間座標の配当通過時間(TS)スタンプ・データ要素標本を自動的に生成するために、グローバル基準システム内に象徴的に埋め込まれたGPSシステムに関連した信号元からGPS信号を受信し、そして、前記受信GPS信号を処理するGPS受信器および関連するアンテナと、(2)データ要素を送信し、前記情報ネットワークで前記GSU上の前記ホスト計算装置からデータ要素を受信するネットワークインターフェイスとを有し、情報ネットワーク上のGPSが前期GPS可能情報サーバーに接続するために、ネットワークインターフェイスがあるホスト計算装置で使用されるグローバル同期ユニット(GSU)において、
前記GSU内に生じる各データ・サンプリング瞬間で前記グローバル基準システム内の前記GSUの配当通過時間座標の配当通過時間(TS)スタンプ・データ要素標本を自動的に生成するために、グローバル基準システム内に象徴的に埋め込まれたGPSシステムに関連した信号元からGPS信号を受信し、そして、前記受信GPS信号を処理するGPS受信器および関連するアンテナと、
個々の前記データ・サンプリング瞬間で、前記ホスト計算装置を介して前記GPS可能情報サーバーから、暗号化された入力データ要素及び関数同期データを、前記ホスト計算装置を介して受信するホストコンピューター・インターフェースを有する前記GPS受信器に操作可能に連結された中央処理装置とを有し、
(i) 復号化された入力データ要素へ前記暗号化されたデータ要素を復号化する、そして、(ii)前記復号化された入力データ要素上で所定の機能を実行する前記中央処理装置で、前記関数同期データは、TS同期座標を特定し、
前記TS同期座標のTSスタンプデータ要素標本を生成する前記GPS受信器で、前記中央処理装置は、自動的に、(i)復号化された入力データ要素へ前記暗号化されたデータ要素を復号化する、そして、(ii)前記復号化された入力データ要素上で前記所定の機能を実行するGSU。
【請求項１４】  請求項１３の前記GSUと前記クライアント計算装置とを有するGSU可能クライアント計算装置。
【請求項１５】  前記クライアント計算装置は、前記入力データ要素を生成するためのデータ入力装置を有し、そして、前記データ入力装置は、マウス、キーボード、マイクロホン、ビデオカメラ、スキャナ、バーコード・リーダー、圧力タブレット、音声認識システム、生物測定センサー、生物生理学的センサー、及び、他のアナログ或いはディジタルデータ入力装置から成るグループから選択される請求項１４のGSU可能クライアント計算装置。
【請求項１６】  前記クライアント計算装置は、前記入力データ要素を生成するためのデータ入力装置を有する、また、前記データ入力装置は、レース・フィニッシュ・ラインに、水位センサー、盗難警報器、警察レーダー装置、スチル・イメージ・カメラ、ビデオカメラ、マイクロホンおよび化学のセンサーから成るグループ、バーコード・リーダー、ドキュメントスキャナ、指紋読取装置、アイリススキャナ、乗り物カウンター、及び、光センサーから選択される請求項１４のGSU可能クライアント計算装置。
【請求項１７】  前記暗号化された入力データ要素は前記クライアント計算装置によって表示される暗号化されたイメージデータセットである、そして、
(i) 復号化されたイメージデータセットへ前記暗号化された入力イメージを復号化する、そして、(ii)ディスプレイのための前記ホスト計算装置に前記ホストコンピューター・インターフェースを通して前記復号化されたイメージデータセットを送信する前記中央処理装置で、前記関数同期データは、TS同期座標を特定する、そして、
前記中央処理装置は、自動的に、(i)前記復号化されたイメージデータセットへ前記暗号化されたイメージデータセットを復号化する、そして、(ii)ディスプレイのための前記ホスト計算装置に前記ホストコンピューター・インターフェースを通して前記復号化されたイメージデータセットを送信する請求項１３のGSU。
【請求項１８】  前記ホストコンピューター・インターフェースは、更に、データ・サンプリング瞬間で、前記復号化された入力データ要素上の前記所定機能の性能に応じて、前記ホスト計算装置からの入力データ要素を受信する、そして、
前記中央処理装置は、(i)TSスタンプされた入力データ要素を生成するために、前記データ・サンプリング瞬間で生成されたTSスタンプデータ要素との前記ホストコンピューター・インターフェースで受信された入力データ要素を連結し、(ii)メモリに前記TSスタンプされた入力データ要素を格納し、そして、(iii)前記ホスト計算装置を通して前記GPSが使用可能な情報受信器に前記ホストコンピューター・インターフェースを通して前記TSスタンプされた入力データ要素を送信する請求項１７のGSU。
【請求項１９】  インターネット上の複数の参加者間の競争を可能にするためのインターネットベースシステムにおいて、
埋込み型GPS(衛星航法)受信器がある主要サーバーと、
競争に関する情報を提供するための１台以上のWEBサーバーと、
ログイン・サーバーと、
対応/応答データベースへの招待と、
埋込み型GPS受信器を有する１台以上の競争促進サーバーと、
埋込み型グローバル同期装置(GSU)を有する１台以上クライアント・マシンとを有し、
前記複数の参加者の競争を可能にするために、そのような構成要素すべてに、大域的広範囲なネットワーク(例えばインターネット)が相互連結されるインターネットベースシステム。
【請求項２０】  システム構成要素を有するインターネットベースコンテスト促進システムにおいて、
埋込み型GPS(衛星航法)受信器がある主要サーバーと、
ログイン・サーバーと、
競技者データベースと、
質問/回答データベースと、
埋込み型GPS受信器および関連するアンテナを夫々が有する１台以上のゲーム・サーバーと、
埋込み型グローバル同期装置(GSU)を夫々が有する１台以上のクライアント・マシンと、
前記システム構成要素は、インターネットのインフラストラクチャーに相互連結され、前記競争を可能にするインターネットベースコンテスト促進システム。
【請求項２１】  ネットワーク・コンピューティング装置をサポートするコンピューター通信網を確保するインターネットベース方法において、
(a)前記ネットワーク・コンピューティング装置へGSUチップを実装し、GSU可能ネットワーク計算装置を提供するステップと、
(b)1セットの予定時間および間隔(TS)座標を備えた前記GSU可能ネットワーク計算装置のGSUチップをプログラムし、前記GSU可能ネットワーク計算装置がそれのサブネットの前記通信網(又はそれに接続しているWWWサーバー)にアクセスすることを可能にし、前記GSU可能ネットワーク計算装置が一時的に空間にある場合に限り、前記TS座標で示すステップと、
(c)前記所定のTS座標で前記GSU可能ネットワーク計算装置を配置し、前記GSU可能ネットワーク計算装置がそれのサブネットの前記通信網(又はそれに接続しているWWWサーバー)にアクセスすることを自動的に可能にするステップとを有するインターネットベース方法。
【請求項２２】  ネットワーク・コンピューティング装置をサポートするコンピューター通信網を確保するインターネットベース方法において、
(a)前記ネットワーク・コンピューティング装置へGSUチップを実装し、GSU可能ネットワーク計算装置を提供するステップと、
(b)1セットの予定時間および間隔(TS)座標を備えた前記GSU可能ネットワーク計算装置のGSUチップをプログラムし、前記GSU可能ネットワーク計算装置がそれのサブネットの前記通信網(又はそれに接続しているWWWサーバー)にアクセスすることを可能にし、前記GSU可能ネットワーク計算装置が一時的に空間にある場合に限り、前記TS座標で示すステップと、
(c)前記所定のTS座標で前記GSU可能ネットワーク計算装置を配置し、前記GSU可能ネットワーク計算装置がそれのサブネットの前記通信網(又はそれに接続しているWWWサーバー)にアクセスすることを自動的に可能にするステップとを有するインターネットベース方法。
【請求項２３】  大域的に参照されるシステムに関して、前記対象物のTS座標を示すTS座標データを自動的に生成する前記対象物で実行されるGSUと、
前記対象物がTS連続を通って移動際、前記対象物のTS座標を集め、そして、解析および／または監視オペレーションのためにメモリに前記TS座標を格納する前記GSUとの通信のためのTSスタンプ追跡サーバーとを有する、対象物を追跡するインターネットベースシステム。
【請求項２４】  前記対象物は、生物あるいは動物であり、前記GSUはさらに、前記GSUが運ばれている、及び、オペレーションを収集し記録し、また、解析および／または監視する前記TSスタンプ追跡サーバーに生物測定のデータを備えている生命信号を感じるための生物測定センサーを有する請求項２３のインターネットベースシステム。
【請求項２５】  前記対象物の所有者(又は管理者)を登録するためのWebベースの所有者/対象物登録サーバーを有する請求項２３のインターネットベースシステム。
【請求項２６】  所有者がオペレーションの追跡中に前記対象物のTS軌道を監視することを可能にするためにWebベースの対象物軌道監視サーバーを有する請求項２３のインターネットベースシステム。
【請求項２７】  インターネットへのインフラストラクチャーに対してGSU、表示および無線の接続を持つGSU可能クライアント・ネットワーク装置と、
前記GSU可能クライアント・ネットワーク装置が地空(TS)連続に沿ったあらかじめ特定された領域と交差する場合に限り、前記表示への現在の前記情報への前記GSU可能クライアント・ネットワーク装置を可能にするように、インターネットのインフラストラクチャーに操作可能に接続され、前記GSUと通信するTSスタンプベース追跡サーバーとを有する、地空(TS)連続に沿った特定事象で、情報を表示するためのインターネットベースシステム。
【請求項２８】  地空(TS)連続に沿った特定事象で、情報を表示するためのインターネットベースシステムにおいて、
GSUおよび表示装置を有するGSU可能クライアント・ネットワーク装置と、
前記GSU可能クライアント・ネットワーク装置が地空(TS)連続に沿ったあらかじめ特定された領域と交差する場合に限り、前記表示への現在の前記情報への前記GSU可能クライアント・ネットワーク装置を可能にするために、前記GSUと通信するTSスタンプベース追跡サーバーとを有するインターネットベースシステム。
【請求項２９】  インターネットへのインフラストラクチャーに対してGSU、表示および無線の接続を有するGSU可能クライアント・ネットワーク装置と、
前記GSU可能クライアント・ネットワーク装置が地空(TS)連続に沿ったあらかじめ特定された領域と交差する場合に限り、現在の前記情報手掛かりへの前記GSU可能クライアント・ネットワーク装置および(または)前記表示への命令を可能にするように、インターネットのインフラストラクチャーに操作可能に接続され、前記GSUと通信するTSスタンプベース追跡サーバーとを有する、地空(TS)連続に沿った特定事象で、情報手掛かりあるいは命令を表示するためのインターネットベースシステム。
【請求項３０】  メディア・コンテンツ配信システムで、可搬のディジタル・メディア・コンテンツ配信装置のオペレーションを可能にするインターネットベースシステムにおいて、
大域的に参照されるシステムに関して、前記可搬のディジタル・メディア・コンテンツ配信装置のTS座標を示すTS座標データを自動的に生成する、前記可搬のディジタル・メディア・コンテンツ配信装置内に埋め込まれたGSU装置と、
前記配当通過時間(TS)連続の特定の領域内に、前記可搬のディジタル・メディア・コンテンツ配信装置が存在する場合に限り、前記対象物がTS連続を通って移動するとともに、前記対象物のTS座標を収集する、前記GSUとの通信用のTSスタンプ追跡サーバーとを有するインターネットベースシステム。